(57)【要約】【課題】オーディオプレーヤをオーディオケーブルでオーディオ装置に接続せずとも、オーディオプレーヤで再生した音楽・音声をオーディオ装置を用いて出力することができるようにする。【解決手段】切替スイッチ２０７の入力は変調回路２０４側とＤＩＴ２１３側とで切り替えられる。デジタルオーディオプレーヤ１００からリモートコントローラ２００に入力されたオーディオ信号はＤＩＴ２１３、切替スイッチ２０７、アンプ２０５を経て赤外線送信回路２０６により送信される。マイクロコンピュータ２０１により生成されたコード信号が変調回路２０４、切替スイッチ２０７、アンプ２０５を経て赤外線送信回路２０６により送信される。切替スイッチ２０７の入力がＤＩＴ２１３側である場合、マイクロコンピュータ２０１により生成されたコードがデータ挿入回路２１２によりオーディオ信号に挿入される。【選択図】図２
2007150947.tif 000002
【特許請求の範囲】
【請求項１】
オーディオプレーヤにより出力されたオーディオ信号をケーブルを通じて入力可能なリモートコントローラと、
前記リモートコントローラによって遠隔操作されるオーディオ装置とを備え、
前記リモートコントローラが、
キーを有する操作部と、
前記操作部のキーに応じたコードのコード信号を生成するコード信号生成手段と、
前記コード信号生成手段によって生成されたコード信号を、前記ケーブルを通じて入力されたオーディオ信号と異なる周波数に変調する変調手段と、
前記ケーブルを通じて入力されたオーディオ信号と前記変調手段により変調されたコーコード信号とを選択的に出力する切替手段と、
前記切替信号により出力された信号を送信する送信手段と、を備え、
前記オーディオ装置が、
前記送信手段により送信された信号を受信する受信手段と、
前記受信手段により受信した信号から周波数の相違によりコード信号とオーディオ信号を抽出する分波手段と、
前記分波手段により抽出されたコード信号のコードを解析するコンピュータと、
前記分波手段により抽出されたオーディオ信号をスピーカに出力する出力手段とを備えることを特徴とするオーディオシステム。
【請求項２】
前記リモートコントローラが、前記コード信号生成手段により生成されたコード信号のコードを、前記ケーブルを通じて入力されたオーディオ信号に挿入し、コードを挿入したオーディオ信号を前記切替手段に出力する挿入手段を更に備え、
前記オーディオ装置が、前記分波手段により抽出されたオーディオ信号に挿入されたコードのコード信号を分離する分離手段を更に備え、
前記コンピュータが前記分離手段により分離されたコード信号のコードを解析し、
前記出力手段が前記分波手段によりコードを分離したオーディオ信号を前記スピーカに出力することを特徴とする請求項１に記載のオーディオシステム。
【請求項３】
オーディオプレーヤからケーブルを通じてリモートコントローラに入力したオーディオ信号と前記リモートコントローラの操作部のキーに応じたコードのコード信号であって該オーディオ信号と異なる周波数のコード信号とを選択的に送信可能な前記リモートコントローラから送信された信号を受信する受信手段と、
前記受信手段により受信した信号から周波数の相違によりコード信号とオーディオ信号を抽出する分波手段と、
前記分波手段により抽出されたコード信号のコードを解析するコンピュータと、
前記分波手段により抽出されたオーディオ信号をスピーカに出力する出力手段とを備えることを特徴とするオーディオ装置。
【請求項４】
前記分波手段により抽出されたオーディオ信号に挿入されたコードのコード信号を分離する分離手段を更に備え、
前記コンピュータが前記分離手段により分離されたコード信号のコードを解析し、
前記出力手段が前記分波手段によりコード信号を分離したオーディオ信号を前記スピーカに出力することを特徴とする請求項３に記載のオーディオ装置。
【請求項５】
オーディオ装置を遠隔操作するリモートコントローラにおいて、
キーを有する操作部と、
前記操作部のキーに応じたコードのコード信号を生成するコード信号生成手段と、
前記コード信号生成手段によって生成されたコード信号を、ケーブルを通じてオーディオプレーヤから入力するオーディオ信号と異なる周波数に変調する変調手段と、
前記ケーブルを通じて入力されたオーディオ信号と前記変調手段により変調されたコーコード信号とを選択的に出力する切替手段と、
前記切替信号により出力された信号を送信する送信手段とを備えることを特徴とするリモートコントローラ。
【請求項６】
前記コード信号生成手段により生成されたコード信号のコードを、前記ケーブルを通じて入力されたオーディオ信号に挿入し、コードを挿入したオーディオ信号を前記切替手段に出力する挿入手段を更に備えることを特徴とする請求項５に記載のリモートコントローラ。
【発明の詳細な説明】
【技術分野】
【０００１】
本発明は、オーディオシステム、オーディオ装置及びリモートコントローラに関する。
【背景技術】
【０００２】
近年、音楽ＣＤに記録された音楽を再生する携帯型オーディオプレーヤのほかに、ハードディスク又は半導体メモリに記録された音楽ファイルを再生する携帯型デジタルオーディオプレーヤも普及している。そのような携帯型デジタルオーディオプレーヤを応用した装置も開発されている（例えば、特許文献１参照。）。
【０００３】
また、携帯型オーディオプレーヤをオーディオケーブルによって高音質・高出力なオーディオ装置（例えば、オーディオアンプ）に接続し、携帯型オーディオプレーヤで再生した音楽をオーディオ装置を用いてスピーカから出力することができる。このようにすれば、質の良い音楽を聴くことができる。
【特許文献１】特開２００４−１１６０９２号公報
【発明の開示】
【発明が解決しようとする課題】
【０００４】
しかし、携帯型オーディオプレーヤとオーディオ装置をオーディオケーブルで接続しなければならないので、そのオーディオケーブルが邪魔になることがある。また、オーディオケーブルを接続するための入力端子はオーディオ装置の背面に設けられていることが一般的で、オーディオケーブルをオーディオ装置に接続するのが簡単ではない。また、オーディオケーブルが短いと携帯型オーディオプレーヤを置く位置がオーディオ装置に周囲に限られてしまい、携帯型オーディオプレーヤを操作するのにオーディオ装置に近づかなければならず、オーディオ装置のリモートコントローラを有効利用することができない。
そこで、本発明は上記課題を解決しようとしてなされたものであり、携帯型オーディオプレーヤをオーディオケーブルでオーディオ装置に接続せずとも、携帯型オーディオプレーヤで再生した音楽・音声をオーディオ装置を用いて出力することができるようにするこを目的とする。
【課題を解決するための手段】
【０００５】
以上の課題を解決するために、本発明においては、第１に、オーディオシステムが、オーディオプレーヤにより出力されたオーディオ信号をケーブルを通じて入力可能なリモートコントローラと、前記リモートコントローラによって遠隔操作されるオーディオ装置とを備え、前記リモートコントローラが、キーを有する操作部と、前記操作部のキーに応じたコードのコード信号を生成するコード信号生成手段と、前記コード信号生成手段によって生成されたコード信号を、前記ケーブルを通じて入力されたオーディオ信号と異なる周波数に変調する変調手段と、前記ケーブルを通じて入力されたオーディオ信号と前記変調手段により変調されたコーコード信号とを選択的に出力する切替手段と、前記切替信号により出力された信号を送信する送信手段と、を備え、前記オーディオ装置が、前記送信手段により送信された信号を受信する受信手段と、前記受信手段により受信した信号から周波数の相違によりコード信号とオーディオ信号を抽出する分波手段と、前記分波手段により抽出されたコード信号のコードを解析するコンピュータと、前記分波手段により抽出されたオーディオ信号をスピーカに出力する出力手段とを備えるという構成を採っている。
【０００６】
上記第１の発明において、前記リモートコントローラが、前記コード信号生成手段により生成されたコード信号のコードを、前記ケーブルを通じて入力されたオーディオ信号に挿入し、コードを挿入したオーディオ信号を前記切替手段に出力する挿入手段を更に備え、前記オーディオ装置が、前記分波手段により抽出されたオーディオ信号に挿入されたコードのコード信号を分離する分離手段を更に備え、前記コンピュータが前記分離手段により分離されたコード信号のコードを解析し、前記出力手段が前記分波手段によりコードを分離したオーディオ信号を前記スピーカに出力することが好ましい。
【０００７】
また、本発明においては、第２に、オーディオ装置が、オーディオプレーヤからケーブルを通じてリモートコントローラに入力したオーディオ信号と前記リモートコントローラの操作部のキーに応じたコードのコード信号であって該オーディオ信号と異なる周波数のコード信号とを選択的に送信可能な前記リモートコントローラから送信された信号を受信する受信手段と、前記受信手段により受信した信号から周波数の相違によりコード信号とオーディオ信号を抽出する分波手段と、前記分波手段により抽出されたコード信号のコードを解析するコンピュータと、前記分波手段により抽出されたオーディオ信号をスピーカに出力する出力手段とを備えるという構成を採っている。
【０００８】
上記第２の発明において、前記分波手段により抽出されたオーディオ信号に挿入されたコードのコード信号を分離する分離手段を更に備え、前記コンピュータが前記分離手段により分離されたコード信号のコードを解析し、前記出力手段が前記分波手段によりコード信号を分離したオーディオ信号を前記スピーカに出力することが好ましい。
【０００９】
また、本発明においては、第３に、オーディオ装置を遠隔操作するリモートコントローラが、キーを有する操作部と、前記操作部のキーに応じたコードのコード信号を生成するコード信号生成手段と、前記コード信号生成手段によって生成されたコード信号を、ケーブルを通じてオーディオプレーヤから入力するオーディオ信号と異なる周波数に変調する変調手段と、前記ケーブルを通じて入力されたオーディオ信号と前記変調手段により変調されたコーコード信号とを選択的に出力する切替手段と、前記切替信号により出力された信号を送信する送信手段とを備えるという構成を採っている。
【００１０】
上記第３の発明において、前記リモートコントローラが、前記コード信号生成手段により生成されたコード信号のコードを、前記ケーブルを通じて入力されたオーディオ信号に挿入し、コードを挿入したオーディオ信号を前記切替手段に出力する挿入手段を更に備えることが好ましい。
【発明の効果】
【００１１】
本発明によれば、オーディオプレーヤをケーブルによりリモートコントローラに接続すると、オーディオプレーヤにより出力されたオーディオ信号がリモートコントローラに入力され、そのオーディオ信号がリモートコントローラの送信手段によりオーディオ装置に送信される。従って、オーディオプレーヤをオーディオケーブルでオーディオ装置に接続せずとも、オーディオプレーヤで再生した音楽・音声をオーディオ装置を用いて出力することができる。そのため、オーディオプレーヤをオーディオ装置から離れた位置に置くこともでき、オーディオケーブルをオーディオ装置に接続するという煩わしさも解消され、リモートコントローラを有効利用することができる。
【００１２】
また、オーディオ装置を遠隔操作するためのコード信号の周波数とオーディオ信号の周波数が異なり、コード信号とオーディオ信号とがオーディオ装置の分波手段により別々に抽出されるから、リモートコントローラの送信手段及びオーディオ装置の受信手段をコード信号送受信のためとオーディオ信号送受信のために兼用することができる。従って、リモートコントローラ、オーディオ装置の構成が複雑にならず、低コストでリモートコントローラ及びオーディオ装置を提供することができる。
【００１３】
また、コード信号生成手段により生成されたコード信号のコードが挿入手段によってオーディオ信号に挿入され、そのコードが挿入されたオーディオ信号が切替手段に出力されて送信手段により送信される。そのオーディオ信号からコード信号がオーディオ装置の分離手段によって分離され、そのコード信号がオーディオ装置のコンピュータに出力される。そのため、オーディオ信号がリモートコントローラからオーディオ装置に送信されて、オーディオプレーヤで再生した音楽・音声をオーディオ装置を用いて出力しているときでも、リモートコントローラによりオーディオ装置を遠隔操作することができる。
【発明を実施するための最良の形態】
【００１４】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１５】
〔第１の実施の形態〕
図１は、本発明に係るオーディオシステム１の全体図であり、図２は、オーディオシステム１のブロック図である。
【００１６】
オーディオシステム１は、デジタルオーディオプレーヤ１００と、リモートコントローラ２００と、オーディオ装置３００とから構成されている。ここで、リモートコントローラ２００はオーディオ装置３００の付属品であり、オーディオ装置３００に赤外線信号を送信してオーディオ装置３００を遠隔操作するものである。また、デジタルオーディオプレーヤ１００とリモートコントローラ２００はケーブル４００によって接続され、このケーブル４００はデジタルオーディオプレーヤ１００とリモートコントローラ２００の何れからも取り外し可能とされている。
【００１７】
デジタルオーディオプレーヤ１００は、マイクロコンピュータ１０１と、ＤＳＰ（Digital Signal Processor）１０３と、デジタルアンプ１０４と、操作部１０５と、表示部１０６と、記憶部１０７と、コネクタ１０９とを有する。
【００１８】
記憶部１０７はコンパクトディスク、ハードディスク又は半導体記憶媒体といった記憶媒体と、その記憶媒体に対して読み書きを行うドライブとを有し、ＭＰ３形式、ＷＭＡ形式、ＡＡＣ形式又はＡＴＲＡＣ３形式で圧縮したオーディオファイルが記憶部１０７の記憶媒体に記憶されている。なお、記憶部１０７の記憶媒体がデジタルオーディオプレーヤ１００本体に対して取り外し可能とされていても良い。
【００１９】
ＤＳＰ１０３は、記憶部１０７からオーディオファイルを読み取って、その読み取ったオーディオファイルを伸長してデジタルオーディオ信号を生成し、生成したデジタルオーディオ信号をデジタルアンプ１０４に出力する。
【００２０】
デジタルアンプ１０４は、ＤＳＰ１０３から入力したデジタルオーディオ信号をスイッチング素子によりスイッチング増幅し、その増幅した信号からローパスフィルタによりアナログオーディオ信号を抽出して、ヘッドフォン１１１のスピーカ及びコネクタ１０９に出力する。デジタルアンプによって抽出されたアナログオーディオ信号は、コネクタ１０９及びケーブル４００を通じてリモートコントローラ２００に入力される。
【００２１】
ヘッドフォン１１１は、デジタルアンプ１０４から入力したアナログオーディオ信号を音に変換するスピーカを有する。
【００２２】
操作部１０５は、プレイキー１０５ａ、選択キー１０５ｂといった各種キーを有し、これらキーが押下された場合にそれぞれのキーに対応する操作信号をマイクロコンピュータ１０１に出力する。
【００２３】
表示部１０６は、液晶ディスプレイ又はエレクトロルミネッセンスディスプレイいった表示装置であり、マイクロコンピュータ１０１から入力される表示制御信号に従って表示を行う。例えば、表示部１０６には、マイクロコンピュータ１０１によって選択されてＤＳＰ１０３によって伸長されているオーディオファイルの名称等が表示される。
【００２４】
マイクロコンピュータ１０１はデジタルオーディオプレーヤ１００の統括的な制御を行う。例えば、マイクロコンピュータ１０１は、操作部１０５の選択キー１０５ｂが押下された場合に操作部１０５から入力される操作信号によって、記憶部１０７に記憶されたオーディオファイルの中から１つを選択する機能と、操作部１０５のプレイキー１０５ａが押下された場合に操作部１０５から入力される操作信号によって、選択したオーディオファイル又はデフォルトで設定されたオーディオファイルを記憶部１０７からＤＳＰ１０３に転送させる機能と、その転送されたオーディオファイルをＤＳＰ１０３に伸長させる機能と、表示部１０６に表示制御信号を出力して表示部１０６に表示を行わせる機能とを有する。
【００２５】
なお、詳細には後述するが、リモートコントローラ２００のマイクロコンピュータ２０１のＤＡＣ（デジタル−アナログ・コンバータ）２０２によって出力された電圧ＶPlay（ＲＥＭ＿Ｖ信号）がケーブル４００を介してマイクロコンピュータ１０１のＡＤＣ（アナログ−デジタル・コンバータ）１０２に入力されると、マイクロコンピュータ１０１は、選択したオーディオファイル又はデフォルトで設定されたオーディオファイルを記憶部１０７からＤＳＰ１０３に転送させ、その転送されたオーディオファイルをＤＳＰ１０３に伸長させる。
【００２６】
リモートコントローラ２００は、マイクロコンピュータ２０１と、操作部２０３と、変調回路２０４と、アンプ２０５と、赤外線送信回路２０６と、切替スイッチ２０７と、コネクタ２０８と、切替スイッチ２０９と、発振器２１０と、ＡＤＣ２１１と、データ挿入回路２１２と、ＤＩＴ（Digital Interface Transmitter）２１３とを備える。
【００２７】
操作部２０３はプレイキー２０３ａといった各種キーを有し、これらキーが押下された場合にそれぞれのキーに対応する操作信号をマイクロコンピュータ２０１に出力する。マイクロコンピュータ２０１には、各キーに割り当たられたリモコン・コードが記憶されている。図３に示すように、マイクロコンピュータ２０１は、操作部２０３から入力した操作信号に応じたリモコン・コード（８ｂｉｔのカスタムコードＣ０、カスタムコードＣ１、データコードＤ及び反転データコードｉｎｖＤからなる。）を生成し、リモコン・コードをＰＰＭ（Pulse Position Modulation）方式によるＰＰＭリモコン・コード信号を生成するコード信号生成手段として機能する。更に、図４に示すように、マイクロコンピュータ２０１は、生成したＰＰＭリモコン・コード信号の前にリーダ・コード信号を付加するとともにＰＰＭリモコン・コード信号の後にストップ・ビット信号を付加したコード制御信号（ＲＥＭ＿Ｉ信号）を変調回路２０４及びデータ挿入回路２１２に出力する。
【００２８】
変調回路２０４は、マイクロコンピュータ２０１から出力されるコード制御信号を所定のキャリア周波数（例えば、３８ｋＨｚ）で変調し、変調したコード制御信号（図３，図４のドライブ信号）を切替スイッチ２０７を介してアンプ２０５に出力する。
【００２９】
切替スイッチ２０７は、マイクロコンピュータ２０１から入力したコード制御信号と、ＤＩＴ２１３から入力したインターフェース信号を選択的にアンプ２０５に出力する。なお、切替スイッチ２０７の切替は、マイクロコンピュータ２０１から入力された切替信号により行われる。
【００３０】
切替スイッチ２０９は、コネクタ２０８に入力されたアナログオーディオ信号（ＡＬ＿０信号）と、入力端子２１４に入力されたアナログオーディオ信号（ＡＬ＿１信号）を選択的にＡＤＣ２１１に出力する。なお、切替スイッチ２０９の切替は、マイクロコンピュータ２０１から入力された切替信号により行われる。
【００３１】
発振器２１０は、所定のサンプリング周波数Ｆｓの整数倍のメインクロック信号（ＭＣＬＫ信号）を発生させる。例えば、メインクロック信号として、サンプリング周波数Ｆｓの２５６倍の周波数の信号を用いる。その他に、サンプリング周波数Ｆｓの１２８倍、５１２倍、…等、使用するＩＣによって様々な周波数が用いられる。
【００３２】
ＡＤＣ２１１は、切替スイッチ２０９から入力したアナログオーディオ信号（ＡＬ＿０又はＡＬ＿１）を発振器２１０から入力したメインクロック信号に従ってサンプリングすることで、入力したアナログオーディオ信号をデジタルオーディオ信号（ＤＡＴＡ＿Ｉ信号）に変換して、データ挿入回路２１２に出力する。また、図５に示すように、ＡＤＣ２１１は、発振器２１０から入力したメインクロック信号を分周してサンプリング周波数Ｆｓと同じ周波数の左右切替クロック信号(ＬＲＣＫ信号)をデータ挿入回路２１２に出力する。更に、ＡＤＣ２１１は、発振器２１０から入力したメインクロック信号を分周してサンプリング周波数Ｆｓの整数倍の周波数(例えば、クロック信号の６４倍の)シリアルオーディオクロック信号（ＳＣＬＫ信号）をデータ挿入回路２１２に出力する。
【００３３】
データ挿入回路２１２は、ＡＤＣ２１１から入力した左右切替クロック信号及びシリアルオーディオクロック信号に従って、マイクロコンピュータ２０１から入力したコード制御信号のうちのＰＰＭリモコン・コード信号のリモコン・コードを、ＡＤＣ２１１から入力したデジタルオーディオ信号の最下位ビット（ＬＳＢ：図５を参照。）に挿入する。具体的には、データ挿入回路２１２は、図６に示すように、マイクロコンピュータ２０１から入力したコード制御信号のＰＰＭリモコン・コード信号をサンプルして、そのＰＰＭリモコン・コード信号をホールドするサンプルアンドホールド回路２２１と、ＡＤＣ２１１から入力した左右切替クロック信号及びシリアルオーディオクロック信号に従ってデジタルオーディオ信号の最下位ビットのタイミングにハイとなる信号を出力するタイミング生成回路２２２と、タイミング生成回路２２２から入力した信号がハイの場合に、サンプルアンドホールド回路２２１にホールドされたＰＰＭリモコン・コード信号を出力するとともに、タイミング生成回路２２２から入力した信号がローの場合に、ＡＤＣ２１１から入力したデジタルオーディオ信号を出力する論理回路２２３とを有する。なお、図２及び図６において、マイクロコンピュータ２０１から出力されたＰＰＭリモコン・コード信号をＡＤＣ２１１のデジタルオーディオ信号（ＤＡＴＡ＿Ｉ信号）に挿入した信号をＤＡＴＡ＿Ｏと示す。
【００３４】
ＤＩＴ２１３は、データ挿入回路２１２から入力したデジタルオーディオ信号（ＤＡＴＡ＿Ｏ信号）をＩＥＣ６０９５８規格のインターフェース信号に変換する。ＤＩＴ２１３によって変換されたインターフェース信号は、切替スイッチ２０７を介してアンプ２０５に入力される。なお、ＤＩＴ２１３から出力されるインターフェース信号がバイフェーズマーク信号で変調されているため、サンプリング周波数Ｆｓを４８ｋＨｚとした場合、インターフェース信号の周波数は３．０７ＭＨｚ〜６．１４ＭＨｚとなっている。従って、変調回路２０４によって変調されたコード制御信号の周波数は、インターフェース信号の周波数と異なる。
【００３５】
切替スイッチ２０７によってマイクロコンピュータ２０１のコード制御信号が優先される場合には、マイクロコンピュータ２０１から入力したコード制御信号がアンプ２０５によって増幅されて赤外線送信回路２０６に出力され、切替スイッチ２０７によってＤＩＴ２１３のデジタルオーディオ信号が優先される場合には、ＤＩＴ２１３のデジタルオーディオ信号がアンプ２０５によって増幅されて赤外線送信回路２０６に出力される。
【００３６】
赤外線送信回路２０６は、アンプ２０５から入力された信号に従って赤外線発光ダイオードを発光させることでアンプ２０５から入力された信号を赤外線によりオーディオ装置３００に送信する。
【００３７】
マイクロコンピュータ２０１は、リモートコントローラ２００の統括的な制御を行う。例えば上述したように、マイクロコンピュータ２０１は、操作部２０３から入力した操作信号に従ってコード制御信号（ＲＥＭ＿Ｉ信号）を変調回路２０４及びデータ挿入回路２１２に出力する機能を有する。
【００３８】
また、マイクロコンピュータ２０１は、リモートコントローラ２００の動作モードを決めるための動作フラグを記憶する機能を有する。リモートコントローラ２００の動作モードとしては、動作フラグが”０”となる通常リモコンモードと、動作フラグが”１”となるデジタルオーディオプレーヤ入力モードとがある。
【００３９】
マイクロコンピュータ２０１に記憶された動作フラグが”１（デジタルオーディオプレーヤ入力モード）”である場合には、マイクロコンピュータ２０１は、ＤＩＴ２１３のデジタルオーディオ信号をアンプ２０５に優先して切替スイッチ２０７の出力を行わせる機能と、操作部２０３のプレイキー２０３ａが押下されたときにＤＡＣ２０２により電圧ＶPlayをコネクタ２０８に出力する機能と、を有する。
【００４０】
また、マイクロコンピュータ２０１に記憶された動作フラグが”０（通常リモコンモード）”である場合には、マイクロコンピュータ２０１は、変調回路２０４のコード制御信号をアンプ２０５に優先して切替スイッチ２０７の出力を行わせる機能を有する。
【００４１】
また、マイクロコンピュータ２０１に記憶される動作フラグは、次の（１）〜（４）の何れかによって書き換えられる。
【００４２】
（１）操作部２０３のデジタルオーディオプレーヤ入力モードキー
操作部２０３にはデジタルオーディオプレーヤ入力モードキー２０３ｂが設けられており、操作部２０３のデジタルオーディオプレーヤ入力モードキー２０３ｂが押下されると、マイクロコンピュータ２０１が動作フラグを”０”から”１”に書き換える。
【００４３】
（２）操作部２０３のスイッチ
操作部２０３にはスイッチが設けられており、そのスイッチが切り替えられると、マイクロコンピュータ２０１が動作フラグを”０”から”１”へ又はその逆に書き換える。
【００４４】
（３）コネクタ２０８の接続状況
マイクロコンピュータ２０１はコネクタ２０８にケーブル４００が接続されたか否かの検出を行う。検出の結果、コネクタ２０８にケーブル４００が接続されていない場合には、マイクロコンピュータ２０１は動作フラグを”０”として記憶し、コネクタ２０８にケーブル４００が接続されている場合には、マイクロコンピュータ２０１は動作フラグを”１”として記憶する。
【００４５】
（４）ＡＤＣ２１１のゼロ検出出力
ＡＤＣ２１１は、アナログオーディオ信号を入力しないとハイとなり、アナログオーディオ信号を入力するとローとなるゼロ検出信号をマイクロコンピュータ２０１に出力する機能を有する。そして、マイクロコンピュータ２０１は、ＡＤＣ２１１のゼロ検出信号がハイとなる時間を計時する機能と、その計時時間が所定時間を経過した場合に、動作フラグを”０”として記憶する機能と、その計時時間が所定時間を経過しない場合又はＡＤＣ２１１のゼロ検出信号がローとなる場合に、動作フラグを”１”として記憶する機能とを有する。
【００４６】
なお、マイクロコンピュータ２０１が上記（１）〜（４）の全ての機能を有している場合、マイクロコンピュータ２０１が上記（１）〜（４）の何れを優先させて動作フラグを決めるかは特に限定されない。
【００４７】
マイクロコンピュータ２０１が動作フラグを”０”から”１”に書き換えるときに、リモコン・コードが”デジタルオーディオプレーヤ入力モード”となるＰＰＭリモコン・コード信号を含むコード制御信号をマイクロコンピュータ２０１が変調回路２０４に出力する。これにより、そのコード制御信号が赤外線送信回路２０６の赤外線発光ダイオードの発光によりオーディオ装置３００に送信される。
【００４８】
オーディオ装置３００は、マイクロコンピュータ３０１と、赤外線受信回路３０２と、分波器３０３と、検波回路３０４と、波形整形回路３０５と、波形整形回路３０６と、ＤＩＲ（Digital Interface Receiver）３０７と、データ分離回路３０８と、ＤＡＣ３０９と、切替スイッチ３１０と、音量調整器３１１と、アンプ３１２とを備える。
【００４９】
赤外線受信回路３０２は、赤外線送信回路２０６で発した赤外線を受光素子で受光して光電変換することで、赤外線送信回路２０６から送信された信号を受信する。
【００５０】
分波器３０３は特定周波数の成分の信号を抽出する複数のバンドパスフィルタを有し、赤外線送信回路２０６から入力した信号を検波回路３０４と波形整形回路３０５に分波する。具体的には、分波器３０３は、赤外線送信回路２０６で受信した信号に含まれる不要信号およびノイズ等をバンドパスフィルタにより除去することによってコード制御信号を抽出し、抽出したコード制御信号を検波回路３０４に出力する。更に、分波器３０３は、赤外線送信回路２０６で受信した信号に含まれる不要信号およびノイズ等を別のバンドパスフィルタにより除去することによってインターフェース信号を抽出し、抽出したインターフェース信号を波形整形回路３０６に出力する。
【００５１】
検波回路３０４は、分波器３０３より出力されるコード制御信号を検波して、ＰＰＭリモコン・コード信号に復調して、ＰＰＭリモコン・コード信号を波形整形回路３０５に出力する。
波形整形回路３０５は、検波回路３０４により出力されるＰＰＭリモコン・コード信号の波形を整形してマイクロコンピュータ３０１に出力する。
マイクロコンピュータ３０１は、ＰＰＭリモコン・コード信号のリモコン・コードを解析し、得られたリモコン・コードに応じてオーディオ装置３００の各部を動作させる。例えば、マイクロコンピュータ３０１は、リモコン・コードに応じて音量調整器３１１の出力を増減する。
【００５２】
波形整形回路３０６は、分波器３０３より出力されるインターフェース信号の波形を整形してＤＩＲ３０７に出力する。
【００５３】
ＤＩＲ３０７は、波形整形回路３０６から入力したＩＥＣ６０９５８規格のインターフェース信号をデジタルオーディオ信号（ＤＴ＿Ｉ信号）に変換する。ＤＩＴ３０７によって変換されたデジタルオーディオ信号は、データ分離回路３０８に出力される。また、ＤＩＲ３０７は、入力したインターフェース信号に従って左右切替クロック信号（ＬＲＣＫ信号）及びシリアルオーディオクロック信号（ＢＣＫ信号）を生成してデータ分離回路３０８に出力する。なお、ＤＩＲ３０７は、入力端子３１３，３１４に入力されたインターフェース信号
、波形整形回路３０６から入力したインターフェース信号を選択的にデジタルオーディオ信号に変換し、ＤＩＲ３０７の入力切替は、マイクロコンピュータ３０１から入力された切替信号により行われる。
【００５４】
データ分離回路３０８は、ＤＩＲ３０７から入力した左右切替クロック信号及びシリアルオーディオクロック信号に従って、ＤＩＲ３０７から入力したデジタルオーディオ信号（ＤＴ＿Ｉ信号）の最下位ビットのリモコン・コードをＰＰＭリモコン・コード信号として分離する。具体的には、データ分離回路３０８は、図７に示すように、ＤＩＲ３０７から入力した左右切替クロック信号及びシリアルオーディオクロック信号に従ってデジタルオーディオ信号の最下位ビットのタイミングにハイとなる信号を出力するタイミング生成回路３２１と、タイミング生成回路３２１から入力した信号がローの場合に、ＤＩＲ３０７から入力したデジタルオーディオ信号を出力する論理回路３２２と、タイミング生成回路３２１から入力した信号がハイの場合に、ＤＩＲ３０７から入力したデジタルオーディオ信号の最下位ビットをサンプリングすることで、その最下位ビットのリモコン・コードをホールドし、ホールドしたリモコン・コードのＰＰＭリモコン・コード信号を出力するサンプルアンドホールド回路３２３とを有する。なお、図２及び図７において、分離されたＰＰＭリモコン・コード信号をＲＥＭ＿Ｏと示し、ＰＰＭリモコン・コード信号を分離したデジタルオーディオ信号をＤＴ＿Ｏと示す。
【００５５】
ＤＡＣ３０９は、データ分離回路３０８から入力したデジタルオーディオ信号をアナログオーディオ信号に変換して、アナログオーディオ信号を切替スイッチ３１０を介して音量調整器３１１に出力する。
【００５６】
切替スイッチ３１０は、ＤＡＣ３０９から入力されたアナログオーディオ信号と、入力端子３１５，３１６から入力されたアナログオーディオ信号を選択的に音量調整器３１１に出力する。なお、切替スイッチ３１０の切替は、マイクロコンピュータ３０１から入力された切替信号により行われる。
【００５７】
音量調整器３１１は、マイクロコンピュータ３０１から入力した音量制御信号に従って切替スイッチ３１０から入力したアナログオーディオ信号の大きさを調整する。
アンプ３１２は音量調整器３１１から入力したアナログオーディオ信号を増幅する。また、アンプ３１２は出力手段であり、アンプ３１２によって増幅されたアナログオーディオ信号がスピーカ５００に出力され、アンプ３１２から入力したアナログオーディオ信号がスピーカ５００によって音に変換される。
【００５８】
マイクロコンピュータ３０１は、オーディオ装置３００の統括的な制御を行う。例えば、マイクロコンピュータ３０１は、データ分離回路３０８又は波形整形回路３０５から入力したＰＰＭリモコン・コード信号に従った音量制御信号を音量調整器３１１に出力し、アナログオーディオ信号の大きさを音量調整器３１１により調整する機能を有する。
【００５９】
また、マイクロコンピュータ３０１は、リモコン・コードが”デジタルオーディオプレーヤ入力モード”となるＰＰＭリモコン・コード信号をデータ分離回路３０８又は波形整形回路３０５から入力した場合に、波形整形回路３０６のインターフェース信号をデータ分離回路３０８に優先してＤＩＲ３０７の出力を行わせる機能とを有する。更に、マイクロコンピュータ３０１は、リモコン・コードが”デジタルオーディオプレーヤ入力モード”となるＰＰＭリモコン・コード信号をデータ分離回路３０８又は波形整形回路３０５から入力した場合に、ＤＡＣ３０９のアナログオーディオ信号を音量調整器３１１に優先して切替スイッチ３１０の出力を行わせる機能を有する。
【００６０】
次に、オーディオシステム１の動作及び使用方法について説明する。
【００６１】
（Ａ）通常リモコンモードの場合
リモートコントローラ２００の動作モードが通常リモコンモードである場合、マイクロコンピュータ２０１は”０”の動作フラグを記憶する。このとき、マイクロコンピュータ２０１が切替スイッチ２０７に切替信号を出力することによって、切替スイッチ２０７が変調回路２０４からの入力をアンプ２０５に出力する状態となる。この時、ユーザが操作部２０３のキーを押下すると、そのキーに対応した操作信号が操作部２０３からマイクロコンピュータ２０１に出力され、マイクロコンピュータ２０１が入力した操作信号に応じたＰＰＭリモコン・コード信号を含むコード制御信号を変調回路２０４に出力する。これにより、コード制御信号が変調回路２０４により変調され、アンプ２０５により増幅され、赤外線送信回路２０６により送信される。赤外線送信回路２０６により送信されたコード制御信号が赤外線受信回路３０２により受信され、そのコード制御信号が分波器３０３から検波回路３０４に出力され、コード制御信号からＰＰＭリモコン・コード信号が検波回路３０４により復調され、ＰＰＭリモコン・コード信号が波形整形回路３０５によって整形されてマイクロコンピュータ３０１に入力される。マイクロコンピュータ３０１は、入力したＰＰＭリモコン・コード信号に従って動作する。
【００６２】
（Ｂ）デジタルオーディオプレーヤ入力モードの場合
ユーザがケーブル４００の両端部をコネクタ１０９，２０８にそれぞれ接続する。
【００６３】
そして、ユーザが操作部２０３のデジタルオーディオプレーヤ入力モードキー２０３ｂを押下すると、マイクロコンピュータ２０１が動作フラグを”０”から”１”に書き換え、更にリモコン・コードが”デジタルオーディオプレーヤ入力モード”となるＰＰＭリモコン・コード信号を含むコード制御信号を変調回路２０４に出力し、そのコード制御信号が赤外線送信回路２０６によりオーディオ装置３００に送信される。コード制御信号が赤外線受信回路３０２により受信され、そのコード制御信号のＰＰＭリモコン・コード信号が波形整形回路３０５からマイクロコンピュータ３０１に入力されると、マイクロコンピュータ３０１がＤＩＲ３０７、切替スイッチ３１０に切替信号を出力し、切替スイッチ３１０がＤＡＣ３０９からの入力を音量調整器３１１に出力する状態となり、ＤＩＲ３０７が波形整形回路３０６からの入力をデータ分離回路３０８に出力する状態となる。
【００６４】
ユーザがデジタルオーディオプレーヤ入力モードキー２０３ｂの押下を解除すると、マイクロコンピュータ２０１はコード制御信号の出力を停止する。そして、マイクロコンピュータ２０１が切替信号を切替スイッチ２０７に出力し、切替スイッチ２０７がＤＩＴ２１３の入力をアンプ２０５に出力する状態となる。なお、ユーザがデジタルオーディオプレーヤ入力モードキー２０３ｂを押下してから放すまでの間のマイクロコンピュータ２０１及びマイクロコンピュータ３０１の動作は、コネクタ２０８にケーブル４００が差し込まれた時に行われても良いし、操作部２０３のスイッチが切り替えられた時に行われても良いし、ＡＤＣ２１１にアナログオーディオ信号が所定時間続けて入力された時に行われても良い。
【００６５】
そして、ユーザがリモートコントローラ２００のプレイキー２０３ａを押下すると、マイクロコンピュータ２０１によって電圧ＶPlayが出力され、その電圧ＶPlayを入力したマイクロコンピュータ１０１が記憶部１０７のオーディオファイルをＤＳＰ１０３に転送し始める。又は、ユーザがデジタルオーディオプレーヤ１００のプレイキー１０５ａを押下すると、それに応じた操作信号がマイクロコンピュータ１０１に入力され、マイクロコンピュータ１０１が記憶部１０７のオーディオファイルをＤＳＰ１０３に転送し始める。これにより、オーディオファイルがデジタルオーディオプレーヤ１００によって再生される。
【００６６】
オーディオファイルがデジタルオーディオプレーヤ１００によって再生されている時には、デジタルオーディオ信号がＤＳＰ１０３による伸長により生成され、ＤＳＰ１０３から出力されたデジタルオーディオ信号からアナログオーディオ信号がデジタルアンプ１０４によって抽出され、デジタルアンプ１０４により出力されたアナログオーディオ信号がヘッドフォン１１１に入力されるとともにケーブル４００を介してリモートコントローラ２００に入力される。
【００６７】
コネクタ２０８にケーブル４００が接続されている場合には、切替スイッチ２０９の入力がコネクタ２０８側に切り替わっているので、ケーブル４００から入力されたアナログオーディオ信号がＡＤＣ２１１に入力される。アナログオーディオ信号がＡＤＣ２１１によってデジタルオーディオ信号（ＤＡＴＡ＿Ｉ信号）に変換され、ＡＤＣ２１１により出力されたデジタルオーディオ信号がデータ挿入回路２１２からＤＩＴ２１３に入力され、デジタルオーディオ信号がＤＩＴ２１３によってＩＥＣ６０９５８規格のインターフェース信号に変換される。ここで、切替スイッチ２０７の入力がＤＩＴ２１３側に切り替わっているので、ＤＩＴ２１３により出力されたインターフェース信号がアンプ２０５に入力されて増幅され、増幅されたインターフェース信号が赤外線送信回路２０６によって赤外線信号として送信される。
【００６８】
オーディオ装置３００においては、インターフェース信号が赤外線受信回路３０２により受信され、インターフェース信号が分波器３０３の抽出により波形整形回路３０６に出力されてから波形整形回路３０６により整形される。ここで、ＤＩＲ３０７の入力が波形整形回路３０６側に切り替わっているので、波形整形回路３０６により出力されたインターフェース信号がＤＩＲ３０７によりデジタルオーディオ信号に変換され、ＤＩＲ３０７により出力されたデジタルオーディオ信号がデータ分離回路３０８からＤＡＣ３０９に入力され、デジタルオーディオ信号がＤＡＣ３０９によってアナログオーディオ信号に変換される。ここで、切替スイッチ３１０の入力がＤＡＣ３０９側に切り替わっているので、ＤＡＣ３０９により出力されたアナログオーディオ信号が音量調整器３１１により大きさを調整され、音量調整器３１１により出力されたアナログオーディオ信号がアンプ３１２によって増幅されてスピーカ５００に出力される。これによりスピーカ５００から音が出力される。
【００６９】
オーディオファイルがデジタルオーディオプレーヤ１００によって再生されてスピーカ５００から音が出力されている時に、ユーザが操作部２０３のキーを押下すると、操作部２０３により操作信号が出力されてマイクロコンピュータ２０１に入力される。マイクロコンピュータ２０１は入力した操作信号に従ったリモコン・コードのＰＰＭリモコン・コード信号を含むコード制御信号をデータ挿入回路２１２に出力する。ここで、切替スイッチ２０７の入力がＤＩＴ２１３側に切り替わっているので、マイクロコンピュータ２０１により出力されたコード制御信号がアンプ２０５に入力されない。
【００７０】
データ挿入回路２１２は、ＡＤＣ２１１により出力された左右切替クロック信号のエッジ（立ち上がり又は立下り）のタイミングで、マイクロコンピュータ２０１により出力されたコード制御信号のＰＰＭリモコン・コード信号のリモコン・コード（値）をサンプルアンドホールド回路２２１によりサンプルして保持する。保持されたＰＰＭリモコン・コード信号の値は、タイミング生成回路２２２で生成されたタイミングで、ＡＤＣ２１１により出力されたデジタルオーディオ信号の指定された位置に論理回路２２３により挿入される。ここでは、ＰＰＭリモコン・コード信号の値がデジタルオーディオ信号の最下位ビットに挿入される。
【００７１】
ＰＰＭリモコン・コード信号が挿入されたデジタルオーディオ信号はＤＩＴ２１３によってインタ−フェース信号に変換されて赤外線送信回路２０６によりオーディオ装置３００に送信される。そして、赤外線受信回路３０２により受信されたインターフェース信号はＤＩＲ３０７によりデジタルオーディオ信号に変換される。データ分離回路３０８は、タイミング生成回路３２１で作成されたタイミングで、ＤＩＲ３０７により出力されたデジタルオーディオ信号からＰＰＭリモコン・コード信号をサンプルアンドホールド回路３２３により分離する。一方、データ分離回路３０８は、タイミング生成回路３２１で作成されたタイミングで、ＤＩＲ３０７により出力されたデジタルオーディオ信号からＰＰＭリモコン・コード信号の成分以外を論理回路３２２により分離する。
【００７２】
ＰＰＭリモコン・コード信号を分離したデジタルオーディオ信号がＤＡＣ３０９に入力され、これによりスピーカ５００から音が出力される。一方、データ分離回路３０８により分離されたＰＰＭリモコン・コード信号（ＲＥＭ＿Ｏ信号）がマイクロコンピュータ３０１に入力され、マイクロコンピュータ３０１がＰＰＭリモコン・コード信号に従って動作する。従って、デジタルオーディオプレーヤ１００によってオーディオファイルが再生されて、リモートコントローラ２００及びオーディオ装置３００によってスピーカ５００から音が出力されている状態であっても、リモートコントローラ２００による遠隔操作が有効であり、ユーザが操作部２０３のキーを押下すれば、それに従ってオーディオ装置３００を遠隔操作することができる。例えば、デジタルオーディオプレーヤ１００によって再生されているオーディオファイルの音楽・音声がスピーカ５００から出力されていても、ユーザが操作部２０３の音量調整キーを押下すれば、マイクロコンピュータ３０１によって音量調整器３１１が制御されるので、スピーカ５００から出力される音量が調整される。
【００７３】
リモートコントローラ２００の動作モードがデジタルオーディオプレーヤ入力モードである場合に、つまり、マイクロコンピュータ２０１が”１”の動作フラグを記憶している場合に、ユーザが操作部２０３のデジタルオーディオプレーヤ入力モードキー２０３ｂを押下すると、マイクロコンピュータ２０１が動作フラグを”１”から”０”に書き換え、更にリモコン・コードが”通常リモコンモード”となるＰＰＭリモコン・コード信号がデータ挿入回路２１２に出力され、そのＰＰＭリモコン・コード信号のリモコン・コードがデジタルオーディオ信号に挿入され、ＤＩＴ２１３、切替スイッチ２０７、赤外線送信回路２０６、赤外線受信回路３０２、分波器３０３、波形整形回路３０６、ＤＩＲ３０７を経由してマイクロコンピュータ３０１に入力される。リモコン・コードが”通常リモコンモード”となるＰＰＭリモコン・コード信号を入力したマイクロコンピュータ３０１がＤＩＲ３０７及び切替スイッチ３１０に出力することによって、ＤＩＲ３０７が入力端子３１３又は入力端子３１４からの入力をデータ分離回路３０８に出力する状態となり、切替スイッチ３１０が入力端子３１５又は入力端子３１６からの入力を音量調整器３１１に出力する状態となる。
【００７４】
ユーザがデジタルオーディオプレーヤ入力モードキー２０３ｂの押下を解除すると、マイクロコンピュータ２０１はコード制御信号の出力を停止する。そして、マイクロコンピュータ２０１が切替信号を切替スイッチ２０７に出力し、切替スイッチ２０７が変調回路２０４の入力をアンプ２０５に出力する状態となる。これにより、リモートコントローラ２００が通常リモコンモードで動作する。なお、以上のようにユーザがデジタルオーディオプレーヤ入力モードキー２０３ｂを押下してから放すまでの間のマイクロコンピュータ２０１及びマイクロコンピュータ３０１の動作は、コネクタ２０８からケーブル４００が外された時に行われても良いし、操作部２０３のスイッチが切り替えられた時に行われても良いし、ＡＤＣ２１１にアナログオーディオ信号が所定時間続けて入力されない時に行われても良い。
【００７５】
以上のように本実施形態によれば、デジタルオーディオプレーヤ１００をオーディオケーブルでオーディオ装置３００に接続せずとも、デジタルオーディオプレーヤ１００で再生した音楽・音声をオーディオ装置３００を用いてスピーカ５００から出力することができる。そのため、デジタルオーディオプレーヤ１００をオーディオ装置３００から離れた位置に置くこともでき、オーディオ装置３００の背面にケーブルを接続するという煩わしさも解消され、オーディオ装置３００のリモートコントローラ２００を有効利用することができる。
【００７６】
また、変調回路２０４によってコード制御信号を変調したり、ＡＤＣ２１１によってオーディオ信号をデジタル化したり、ＤＩＴ２１３によってオーディオ信号を変換したりすることによって、赤外線送信回路２０６から送信される信号においてはコード制御信号とオーディオ信号（インターフェース信号）の周波数が異なり、赤外線送信回路２０６から送信された信号は分波器３０３によってコード制御信号とオーディオ信号（インターフェース信号）とに分波されるから、リモートコントローラ２００の赤外線送信回路２０６及びオーディオ装置３００の赤外線受信回路３０２をコード制御信号送受信のためとオーディオ信号送受信のために兼用することができる。従って、リモートコントローラ２００、オーディオ装置３００の構成が複雑にならず、低コストでリモートコントローラ２００及びオーディオ装置３００を提供することができる。
【００７７】
また、リモートコントローラ２００のマイクロコンピュータ２０１により生成されたＰＰＭリモコン・コード信号のコードがデータ挿入回路２１２によってデジタルオーディオ信号に挿入され、そのコードが挿入されたデジタルオーディオ信号がインターフェース信号に変換された状態でリモートコントローラ２００からオーディオ装置３００に送信される。そして、オーディオ装置３００においては、受信したデジタルオーディオ信号（インターフェース信号）からＰＰＭリモコン・コード信号がデータ分離回路によって分離され、分離されたＰＰＭリモコン・コード信号がマイクロコンピュータ３０１に出力される。そのため、デジタルオーディオ信号がリモートコントローラ２００からオーディオ装置３００に送信されて、デジタルオーディオプレーヤ１００で再生した音楽・音声がオーディオ装置３００によって出力されているときでも、リモートコントローラ２００によりオーディオ装置３００を遠隔操作することができる。
【００７８】
なお、本実施形態では、コネクタ１０９とコネクタ２０８をケーブル４００によって接続したが、ヘッドフォン１１１にアナログオーディオ信号を出力するための出力端子１１０と入力端子２１４をケーブルによって接続しても良い。この場合、入力端子２１４にケーブルが接続されている場合には、マイクロコンピュータ２０１によって切替スイッチ２０９の入力が入力端子２１４側に切り替わっているので、デジタルオーディオプレーヤ１００から出力端子１１０、ケーブル、入力端子２１４を通じて切替スイッチ２０９に入力されたアナログオーディオ信号がＡＤＣ２１１に出力される。
【００７９】
〔第２の実施の形態〕
図８は、第２実施形態におけるオーディオシステム１Ａのブロック図である。図８においては図２のオーディオシステム１と同一の部分に同一の符号を付し、第１実施形態と同一の部分についての詳細な説明を省略し、第１実施形態と異なる部分について説明する。
【００８０】
上記第１実施形態では、デジタルオーディオプレーヤ１００から出力されるオーディオ信号がアナログの信号としたが、第２実施形態では、デジタルオーディオプレーヤ１００から出力されるオーディオ信号がデジタルの信号としている。
【００８１】
具体的には、デジタルオーディオプレーヤ１００はＤＩＴ１１２を更に備え、ＤＩＴ１１２の入力がＤＳＰ１０３の出力に接続され、コネクタ１０９がデジタルアンプ１０４の出力に接続されておらず、ＤＩＴ１１２の出力に接続されている。そのた、ＤＳＰ１０３が記憶部１０７のオーディオファイルを伸長することで生成したデジタルオーディオ信号は、デジタルアンプ１０４のほかにＤＩＴ１１２にも出力される。ＤＩＴ１１２が入力したデジタルオーディオ信号をＩＥＣ６０９５８規格のインターフェース信号に変換してコネクタ１０９に出力し、インターフェース信号がケーブル４００を通じてコネクタ２０８に入力される。
【００８２】
一方、リモートコントローラ２００はＤＩＲ２１５を更に備え、ＤＩＲ２１５の入力がコネクタ２０８に接続されている。ＡＤＣ２１１の入力は切替スイッチ２０９の出力ではなく、入力端子２１４に接続され、切替スイッチ２０９の一方の入力がＡＤＣ２１１の出力に接続され、切替スイッチ２０９の他方の入力がＤＩＲ２１５の出力に接続され、切替スイッチ２０９の出力がデータ挿入回路２１２の入力に接続されている。そのため、デジタルオーディオプレーヤ１００からＤＩＲ２１５に入力されたインターフェース信号がＤＩＲ２１５によってデジタルオーディオ信号に変換され、切替スイッチ２１５に出力される。コネクタ２０８にケーブル４００が接続されている場合には、マイクロコンピュータ２０１によって切替スイッチ２０９の入力がＤＩＲ２１５側に切り替わっているので、ＤＩＲ２１５から出力されたデジタルオーディオ信号（ＤＡＴＡ＿Ｉ信号）、左右切替クロック信号（ＬＲＣＫ信号）及びシリアルオーディオクロック信号（ＳＣＬＫ信号）がデータ挿入回路２１２に入力される。データ挿入回路２１２は第１実施形態の場合と同様に機能する。
【００８３】
本実施形態においても、デジタルオーディオプレーヤ１００をケーブルによってオーディオ装置３００に接続せずとも、デジタルオーディオプレーヤ１００で再生した音楽・音声をオーディオ装置３００を用いてスピーカ５００から出力することができる。
【００８４】
なお、上記各実施形態において、リモートコントローラ２００に接続するオーディオプレーヤはデジタルオーディオプレーヤ１００に限定されず、ディスクに記録された音楽を再生可能なディスク再生型オーディオプレーヤでも良い。ディスク再生型オーディオプレーヤがアナログオーディオ信号を出力する場合には、ディスク再生型オーディオプレーヤの出力と図１若しくは図２の入力端子２１４又は図１のコネクタ２０８をケーブルで接続すれば良いし、ディスク再生型オーディオプレーヤがデジタルオーディオ信号を出力する場合には、ディスク再生型オーディオプレーヤの出力と図２のコネクタ２０８をケーブルで接続すれば良い。
【図面の簡単な説明】
【００８５】
【図１】本発明の第１実施形態におけるオーディオシステムの全体図である。
【図２】本発明の第１実施形態におけるオーディオシステムのブロック図である。
【図３】リモートコントローラのマイクロコンピュータによって生成されるリモコン・コードの信号を説明するための図面である。
【図４】リモートコントローラのマイクロコンピュータによって生成されるコード制御信号を説明するための図面である。
【図５】デジタルオーディオ信号（ＤＡＴＡ＿Ｉ）、シリアルオーディオクロック信号（ＳＣＬＫ）左右切替クロック信号（ＬＲＣＫ）を説明するための図面である。
【図６】データ挿入回路の回路図である。
【図７】データ分離回路の回路図である。
【図８】本発明の第２実施形態におけるオーディオシステムのブロック図である。
【符号の説明】
【００８６】
１、１Ａ  オーディオシステム
１００  デジタルオーディオプレーヤ
２００  リモートコントローラ
２０１  マイクロコンピュータ
２０３  操作部
２０４  変調回路
２０６  赤外線送信回路
２０７  切替スイッチ
２０８  コネクタ
２１１  ＡＤＣ
２１２  データ挿入回路
２１３  ＤＩＴ
３００  オーディオ装置
３０１  マイクロコンピュータ
３０２  赤外線受信回路
３０３  分波器
３０７  ＤＩＲ
３０８  データ分離回路
３０９  ＤＡＣ
３１２  アンプ
４００  ケーブル
５００  スピーカ
【図１】
2007150947.tif 000003
【図２】
2007150947.tif 000004
【図３】
2007150947.tif 000005
【図４】
2007150947.tif 000006
【図５】
2007150947.tif 000007
【図６】
2007150947.tif 000008
【図７】
2007150947.tif 000009
【図８】
2007150947.tif 000010